(57)【要約】【課題】ｅＤＲＸによる試験を容易に行なわせることができる移動端末試験装置を提供すること。【解決手段】画像を表示する表示部１２と、ｅＤＲＸの情報を設定させるとき、設定されたパラメータから算出したPaging HyperframeのタイミングをＨ−ＳＦＮを表す直線上に表示し、該Paging Hyperframe中のPaging FrameのタイミングをＳＦＮを表す直線上に表示し、該ＳＦＮを表す直線上にＰＴＷの範囲を表示するＨｙｐｅｒ  ＳＦＮ画面を表示部１２に表示させる制御部１４と、を備える。【選択図】図１
2018174379.tif 000002
【特許請求の範囲】
【請求項１】
移動体通信の基地局を擬似して移動体通信端末（２）を試験する移動端末試験装置（１）であって、
画像を表示する表示部（１２）と、
前記表示部に状態表示設定画像を表示させる制御部（１４）と、を備え、
前記制御部は、ｅＤＲＸの情報を設定させるとき、設定されたパラメータから算出したPaging Hyperframeのタイミングと、該Paging Hyperframe中のPaging Frameのタイミングを表示するＨｙｐｅｒ  ＳＦＮ画面を前記表示部に表示させる移動端末試験装置。
【請求項２】
前記制御部は、Ｈ−ＳＦＮを表す数直線上に前記Paging Hyperframeのタイミングを表示させ、最も早く到来する前記Paging Hyperframeの情報をＳＦＮを表す数直線上に表示させ、前記ＳＦＮを表す数直線上に前記Paging Frameのタイミングを表示させる請求項１に記載の移動端末試験装置。
【請求項３】
前記制御部は、前記ＳＦＮを表す数直線上にＰＴＷの範囲を表示させる請求項２に記載の移動端末試験装置。
【請求項４】
前記制御部は、前記Ｈｙｐｅｒ  ＳＦＮ画面において前記Paging Hyperframe及び前記Paging Frameを設定可能とし、設定された前記Paging Hyperframe及び前記Paging Frameに基づいて前記Paging Hyperframeのタイミングと、該Paging Hyperframe中のPaging Frameのタイミングを表示させる請求項１から請求項３のいずれか１項に記載の移動端末試験装置。
【請求項５】
移動体通信の基地局を擬似して移動体通信端末（２）を試験する移動端末試験装置（１）の設定内容表示方法であって、
ｅＤＲＸのパラメータを設定させるステップと、
設定されたパラメータから算出したPaging Hyperframeのタイミングを表示するステップと、
該Paging Hyperframe中のPaging Frameのタイミングを表示するステップと、を備えた設定内容表示方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行なわせ、この通信の内容を確認する試験を行なっている。
【０００３】
無線通信方式のＬＴＥ（Long Term Evolution）の規格では、移動体通信端末のバッテリ消費を抑えるために、間欠受信（ＤＲＸ：Discontinuous Reception）制御が採用されている。
【０００４】
ＤＲＸ制御では、移動体通信端末ごとに基地局からのメッセージを受信するタイミングを決め、そのタイミング以外ではメッセージを受信する処理を行なわないようにして、消費電力を抑えるようにしている。
【０００５】
メッセージの受信は、以下に示すPaging Frame及びPaging Occasionで行なう。Paging Occasionは、基地局からのメッセージが送信されるサブフレームを示し、Paging Frameは、Paging Occasionを含みうるＳＦＮ（System Frame Number）を示す。ＳＦＮは、１０ｍｓ単位のフレームに０から１０２３までの番号を付与したものである。
【０００６】
Paging Frame及びPaging Occasionは、移動体通信端末と基地局の間でやり取りされるdefault paging cycle及び移動体通信端末のＩＭＳＩ（International Mobile Subscriber Identity）を用いて決められる。
【０００７】
Paging Frameは、以下の式１を満たすＳＦＮである。
ＳＦＮ mod Ｔ ＝（Ｔ div Ｎ）＊（UE_ID mod Ｎ）...（式１）
【０００８】
このようにして決定されたPaging FrameにおけるPaging Occasionのサブフレーム番号は、以下の式２に従って算出されるインデックスi_sとパラメータＮｓとから、ＬＴＥ規格において規定されている対応テーブルを利用して決定される。
i_s ＝ floor（UE_ID/Ｎ） mod Ｎｓ...（式２）
ここで、
Ｔ：default paging cycle
ｎＢ：４Ｔ，２Ｔ，Ｔ，Ｔ／２，Ｔ／４，Ｔ／８，Ｔ／１６，Ｔ／３２
Ｎ：ｍｉｎ（Ｔ，ｎＢ）
Ｎｓ：ｍａｘ（１，ｎＢ／Ｔ）
UE_ID：ＩＭＳＩ mod 1024
【０００９】
無線通信の規格を作成している３ＧＰＰ（3rd Generation Partnership Project）のRelease13では、基地局からのメッセージを受信する間隔をさらに延長したｅＤＲＸ（extended idle mode DRX）が規定された。
【００１０】
ｅＤＲＸでは、従来のＳＦＮに加え、Ｈ−ＳＦＮ（Hyper SFN）が定義され、このＨ−ＳＦＮによって基地局からのメッセージを受信するタイミングが制御される。
【００１１】
ＳＦＮは、１０ｍｓ単位のフレームに０から１０２３までの番号が定義されているため、それらをトータルしたＳＦＮ  ｃｙｃｌｅの長さは１０．２４ｓとなる。Ｈ−ＳＦＮは、ＳＦＮ  ｃｙｃｌｅの長さを１つのＨ−ＳＦＮの長さとし、Ｈ−ＳＦＮの番号は０から１０２３と定義される。
【００１２】
基地局側から指定されるメッセージを受信する間隔であるｅＤＲＸ  ｃｙｃｌｅ（ＴｅＤＲＸ，Ｈ）に基づいて、基地局からのメッセージの受信を行なうＨ−ＳＦＮの番号であるPaging Hyperframeが導出される。
【００１３】
以下に示す式３を満たすＨ−ＳＦＮがPaging Hyperframeになる。
Ｈ−ＳＦＮ mod ＴｅＤＲＸ，Ｈ ＝（UE_ID_H mod ＴｅＤＲＸ，Ｈ）...（式３）
ここで、
ＴｅＤＲＸ，Ｈ：１，２，...，２５６ [Hyper-frames]
UE_ID_H：Ｓ−ＴＭＳＩのＣＲＣ３２値の上位１０ビット、または、Ｓ−ＴＭＳＩの32-bit FCS値の上位１０ビット
【００１４】
Ｓ−ＴＭＳＩ（SAE(System Architecture Evolution) Temporary Mobile Subscriber Identity）は、一時的に移動体通信端末に割り当てられる識別子である。
【００１５】
移動体通信端末は、上述の式１で求めたＳＦＮが含まれるPaging Hyperframe内の特定の期間の基地局からのメッセージを監視する。この監視期間のことをPaging Time Window（ＰＴＷ）と呼ぶ。
【００１６】
ＰＴＷの間は、従来のＤＲＸと同様に、Paging Frame及びPaging Occasionのタイミングでメッセージの監視を行なう。
【００１７】
ＰＴＷの期間は、Paging Hyperframeと、ＰＴＷの先頭のＳＦＮであるPH start positionと、ＰＴＷの最後のＳＦＮであるPH end positionとにより求められる。
【００１８】
PH start positionは、以下の式４を満たすＳＦＮである。
ＰＴＷ_start＝２５６＊ｉｅＤＲＸ ...（式４）
ｉｅＤＲＸ＝ floor(UE_ID_H／ＴｅＤＲＸ，Ｈ） mod ４
PH end positionは、以下の式５を満たすＳＦＮである。
ＰＴＷ_end＝（ＰＴＷ_start＋Ｌ＊１００−１） mod 1024...（式５）
ここで、Ｌは、移動体通信端末と基地局間でやり取りされるPaging Time Window length(in seconds)である。
【００１９】
ｅＤＲＸでは、ｅＤＲＸ  ｃｙｃｌｅの最大値が2621.44秒まで拡張され、移動体通信端末が基地局からのメッセージを監視する間隔が従来のＤＲＸよりも長くなっている。
特許文献１には、ｅＤＲＸを設定する基地局とユーザ装置について記載されている。
【先行技術文献】
【特許文献】
【００２０】
【特許文献１】国際公開第２０１６／１５８３９４号
【発明の概要】
【発明が解決しようとする課題】
【００２１】
ｅＤＲＸは、通常のＤＲＸとは異なり、非常に長い周期で移動体通信端末がメッセージを監視する場合があるので、プロトコルに詳しくないユーザには、どのタイミングで監視しているかが分かり難い。
【００２２】
そこで、本発明は、ｅＤＲＸによる試験を容易に行なわせることができる移動端末試験装置を提供することを目的としている。
【課題を解決するための手段】
【００２３】
本発明の移動端末試験装置は、移動体通信の基地局を擬似して移動体通信端末を試験する移動端末試験装置であって、画像を表示する表示部と、前記表示部に状態表示設定画像を表示させる制御部と、を備え、前記制御部は、ｅＤＲＸの情報を設定させるとき、設定されたパラメータから算出したPaging Hyperframeのタイミングと、該Paging Hyperframe中のPaging Frameのタイミングを表示するＨｙｐｅｒ  ＳＦＮ画面を前記表示部に表示させるものである。
【００２４】
この構成により、設定されたパラメータから算出したPaging Hyperframeのタイミングと、該Paging Hyperframe中のPaging Frameのタイミングを表示するＨｙｐｅｒ  ＳＦＮ画面が表示される。このため、設定されたパラメータでのPaging Hyperframeのタイミングと、該Paging Hyperframe中のPaging Frameのタイミングを視覚的に認識させることができ、ｅＤＲＸによる試験を容易に行なわせることができる。
【００２５】
また、本発明の移動端末試験装置において、前記制御部は、Ｈ−ＳＦＮを表す数直線上に前記Paging Hyperframeのタイミングを表示させ、最も早く到来する前記Paging Hyperframeの情報をＳＦＮを表す数直線上に表示させ、前記ＳＦＮを表す数直線上に前記Paging Frameのタイミングを表示させるものである。
【００２６】
この構成により、次にPaging送信メッセージが送信されるＨ−ＳＦＮやＳＦＮが表示される。このため、次に試験を実施するタイミングを容易に認識させることができ、ｅＤＲＸによる試験を容易に行なわせることができる。
【００２７】
また、本発明の移動端末試験装置において、前記制御部は、前記ＳＦＮを表す数直線上にＰＴＷの範囲を表示させるものである。
【００２８】
この構成により、ＳＦＮを表す数直線上にＰＴＷの範囲が表示される。このため、実際にPaging送信メッセージが送信される期間を容易に認識させることができ、ｅＤＲＸによる試験を容易に行なわせることができる。
【００２９】
また、本発明の移動端末試験装置において、前記制御部は、前記Ｈｙｐｅｒ  ＳＦＮ画面において前記Paging Hyperframe及び前記Paging Frameを設定可能とし、設定された前記Paging Hyperframe及び前記Paging Frameに基づいて前記Paging Hyperframeのタイミングと、該Paging Hyperframe中のPaging Frameのタイミングを表示させるものである。
【００３０】
この構成により、設定されたPaging Hyperframe及びPaging Frameに基づいてPaging Hyperframeのタイミングと、該Paging Hyperframe中のPaging Frameのタイミングが表示される。このため、Paging Hyperframe及びPaging Frameの変更と確認を容易に行なわせることができ、ｅＤＲＸによる試験を容易に行なわせることができる。
【００３１】
また、本発明の移動端末試験装置の設定内容表示方法は、移動体通信の基地局を擬似して移動体通信端末を試験する移動端末試験装置の設定内容表示方法であって、ｅＤＲＸのパラメータを設定させるステップと、設定されたパラメータから算出したPaging Hyperframeのタイミングを表示するステップと、該Paging Hyperframe中のPaging Frameのタイミングを表示するステップと、を備えたものである。
【００３２】
この構成により、設定されたパラメータから算出したPaging Hyperframeのタイミングと、該Paging Hyperframe中のPaging Frameのタイミングが表示される。このため、設定されたパラメータでのPaging Hyperframeのタイミングと、該Paging Hyperframe中のPaging Frameのタイミングを視覚的に認識させることができ、ｅＤＲＸによる試験を容易に行なわせることができる。
【発明の効果】
【００３３】
本発明は、ｅＤＲＸによる試験を容易に行なわせることができる移動端末試験装置を提供することができる。
【図面の簡単な説明】
【００３４】
【図１】図１は、本発明の一実施形態に係る移動端末試験装置のブロック図である。
【図２】図２は、本発明の一実施形態に係る移動端末試験装置のＨｙｐｅｒ  ＳＦＮ画面を示す図である。
【図３】図３は、本発明の一実施形態に係る移動端末試験装置のＰＴＷが複数Ｈ−ＳＦＮを跨いだ場合のＨｙｐｅｒ  ＳＦＮ画面を示す図である。
【図４】図４は、本発明の一実施形態に係る移動端末試験装置のPaging FrameがＰＴＷ外になった場合のＨｙｐｅｒ  ＳＦＮ画面を示す図である。
【図５】図５は、本発明の一実施形態に係る移動端末試験装置のPaging HyperframeやPaging Frameが設定された場合のＨｙｐｅｒ  ＳＦＮ画面を示す図である。
【図６】図６は、本発明の一実施形態に係る移動端末試験装置の算出された値と異なるPaging HyperframeとPaging Frameが設定された場合のＨｙｐｅｒ  ＳＦＮ画面を示す図である。
【図７】図７は、本発明の一実施形態に係る移動端末試験装置の算出された値と異なるPaging Frameが設定された場合のＨｙｐｅｒ  ＳＦＮ画面を示す図である。
【図８】図８は、本発明の一実施形態に係る移動端末試験装置の算出された値と異なるPaging Frameをユーザが設定した場合で設定された値がＰＴＷ外になってしまった場合のＨｙｐｅｒ  ＳＦＮ画面を示す図である。
【図９】図９は、本発明の一実施形態に係る移動端末試験装置のｅＤＲＸの制御開始処理の手順を説明するフローチャートである。
【発明を実施するための形態】
【００３５】
以下、図面を参照して、本発明の実施形態に係る移動端末試験装置について詳細に説明する。
【００３６】
図１において、本発明の一実施形態に係る移動端末試験装置１は、擬似基地局として同軸ケーブル等を介して有線で移動体通信端末２と無線信号を送受信するようになっている。
【００３７】
移動端末試験装置１は、操作部１１と、表示部１２と、表示制御部１３と、制御部１４と、シナリオ生成部１５と、記憶部１６と、シナリオ処理部１７と、擬似基地局部１８−１と、擬似基地局部１８−２と、擬似基地局部１８−３と、結合器１９とを含んで構成されている。
【００３８】
操作部１１は、キーボード、マウス、タッチパネル等の入力機器で構成され、操作入力されたシナリオの生成に必要な情報などを表示制御部１３に出力する。表示部１２は、液晶ディスプレイ等の画像表示機器で構成され、シナリオの生成に必要な情報を入力させる画像や試験中の状態を示す画像などを表示する。
【００３９】
表示制御部１３は、表示部１２に表示させる画像を生成して表示させるものであり、制御部１４の指示により画像の生成と表示の制御を行なうようになっている。また、表示制御部１３は、操作部１１に入力された情報に基づいて表示部１２の表示を変更させたり、操作部１１に入力された情報を制御部１４に送信したりする。
【００４０】
制御部１４は、操作部１１に入力された指示に従って、シナリオの作成画面を表示制御部１３により表示部１２に表示させてシナリオの生成に必要な情報を入力させたり、シナリオの作成画面で操作部１１に入力された情報をシナリオ生成部１５に送信してシナリオを生成させたりする。また、制御部１４は、操作部１１に入力された指示に従って、シナリオ処理部１７に指示を送信して記憶部１６に記憶されたシナリオに基づいて試験を実行させたり、シナリオ処理部１７から送信される擬似基地局部１８−１、１８−２、１８−３の状態や移動体通信端末２との通信の状態などの情報に基づいて表示制御部１３により表示部１２に試験中の状態などを表示させたりする。
【００４１】
シナリオ生成部１５は、制御部１４から送信されたシナリオ生成のための情報に基づいて、移動体通信端末２を試験するためのシナリオを生成する。このシナリオには、擬似基地局部１８−１、１８−２、１８−３の動作の設定や、移動体通信端末２との通信シーケンスが設定される。シナリオ生成部１５は、シナリオ生成のための情報に基づいて擬似基地局部１８−１、１８−２、１８−３から送信する送信情報を生成する送信情報生成部１５０を備えている。
【００４２】
送信情報生成部１５０は、シナリオ生成のための情報に基づいて擬似基地局部１８−１、１８−２、１８−３の報知情報や位置登録処理における送信情報などを生成する。送信情報生成部１５０は、例えば、個別に設定された擬似基地局部１８−１、１８−２、１８−３の擬似する基地局の動作の設定の情報に基づいて、報知情報を生成する。
【００４３】
記憶部１６は、ハードディスク装置やフラッシュメモリで構成され、シナリオ生成部１５で生成された各種のシナリオを記憶する。
【００４４】
シナリオ処理部１７は、制御部１４からの指示により、記憶部１６に記憶されているシナリオを読み出して、そのシナリオに基づいて擬似基地局部１８−１、１８−２、１８−３に、報知情報を送信させたり、移動体通信端末２との間で通信シーケンスを実行させたりする。
【００４５】
擬似基地局部１８−１、擬似基地局部１８−２、擬似基地局部１８−３は、シナリオ処理部１７の指示により、移動体通信端末２との間で無線信号を送受信する。
【００４６】
結合器１９は、擬似基地局部１８−１、１８−２、１８−３の送信する無線信号を結合して移動体通信端末２に送信する。また、結合器１９は、移動体通信端末２から受信した信号を擬似基地局部１８−１、１８−２、１８−３それぞれに送信する。
【００４７】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００４８】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００４９】
このように、本実施の形態において、記憶部１６は、ＲＡＭ又はハードディスク装置によって構成され、表示制御部１３、制御部１４、シナリオ生成部１５及びシナリオ処理部１７は、ＣＰＵによって構成され、擬似基地局部１８−１、１８−２、１８−３は、通信モジュールによって構成される。
【００５０】
このような構成の移動端末試験装置１において、移動体通信端末２の試験を行なう場合、まず、ユーザにより試験に使用するシナリオの作成が行なわれる。制御部１４は、ユーザによる操作部１１の操作によりシナリオの作成の機能が選択されると、例えば、表示部１２にシナリオ作成画面を表示させて、擬似基地局部１８−１、１８−２、１８−３で擬似する基地局の情報や実行させたいシーケンスなどを設定させる。
【００５１】
ユーザは、目的の試験に合わせて各種情報を基地局ごとに設定する。制御部１４は、設定された情報をシナリオ生成部１５に送信して擬似基地局のシナリオを生成させる。シナリオ生成部１５は、制御部１４から受信した情報に基づいて、報知情報やシーケンス情報などを生成し、擬似基地局のシナリオとして識別情報と関連付けて記憶部１６に記憶させる。
【００５２】
また、制御部１４は、ユーザによる操作部１１の操作によりｅＤＲＸの設定が選択されると、例えば、表示部１２に図２に示すようなＨｙｐｅｒ  ＳＦＮ画面を表示させて、ｅＤＲＸの設定を行なわせる。
【００５３】
図２において、パラメータ設定部１０１は、ｅＤＲＸに関する各種パラメータを設定させるものである。「E-UTRAN eDRX Cycle Length Duration」には、ｅＤＲＸ  ｃｙｃｌｅを設定させる。「Paging Time Window Length Duration」には、ＰＴＷの長さ（上述の式５のＬに相当）を設定させる。「Default paging Cycle」には、ＳＦＮのdefault paging cycle（上述の式１のＴに相当）を設定させる。「ｎＢ」には、ＳＦＮのｎＢ（上述の式１及び式２のｎＢに相当）を設定させる。「ＩＭＳＩ」には、移動体通信端末２のＩＭＳＩを設定させる。「Ｓ−ＴＭＳＩ」には、移動体通信端末２に割り当てるＳ−ＴＭＳＩを設定させる。
【００５４】
パラメータ設定部１０１に値が設定されると、制御部１４は、設定された値に基づいてPaging Hyperframe、Paging Frame、ＰＴＷ_start、ＰＴＷ_endを計算する。
【００５５】
制御部１４は、Paging HyperframeとPaging FrameをPaging情報表示設定部１０２に、ＰＴＷ_startをＰＴＷ開始表示部１０４に、ＰＴＷ_endをＰＴＷ終了表示部１０６に表示させる。また、制御部１４は、ＰＴＷ開始Ｈ−ＳＦＮ表示部１０５にＰＴＷ_startが含まれるＨ−ＳＦＮを、ＰＴＷ終了Ｈ−ＳＦＮ表示部１０７にＰＴＷ_endが含まれるＨ−ＳＦＮを表示させる。
【００５６】
Paging情報表示設定部１０２には、ユーザが値を設定できるようになっている。Paging情報設定表示１０３は、ユーザがPaging情報表示設定部１０２に値を設定した場合に、表示を変える（表示色を変えるなどする）ものである。
【００５７】
制御部１４は、計算した値に基づいて、Paging送信タイミング表示部１０８にｅＤＲＸの状態を表示させる。
【００５８】
Paging送信タイミング表示部１０８には、上段にＨ−ＳＦＮを示す直線が表示され、下段にＨ−ＳＦＮ中のＳＦＮを示す直線が表示される。Ｈ−ＳＦＮを示す直線は、０から１０２４までの整数が順番に割り当てられた数直線になっている。ＳＦＮを示す直線は、０から１０２４までの整数が順番に割り当てられた数直線になっている。
【００５９】
Ｈ−ＳＦＮを示す直線の上側には、Paging Hyperframeのタイミングを示すＰＨタイミング表示１１０と、Paging Hyperframeのタイミングのうち、Paging情報表示設定部１０２に表示または設定されたPaging Hyperframeのタイミングを示す送信ＰＨ表示１１１とが表示される。ＰＨタイミング表示１１０及び送信ＰＨ表示１１１の上には、対応するＨ−ＳＦＮの番号が表示される。
【００６０】
ＳＦＮを示す直線には、Paging情報表示設定部１０２に表示または設定されたPaging Hyperframe（送信ＰＨ表示１１１のＨ−ＳＦＮ）のＳＦＮの内容が表示される。
【００６１】
ＳＦＮを示す直線の上側には、Paging Frameの送信タイミングを示すＰＦタイミング表示１１２と、Paging Frameの送信タイミングのうち実際にPaging送信メッセージを送信するタイミングを示す送信ＰＦ表示１１３とが表示される。ＰＦタイミング表示１１２及び送信ＰＦ表示１１３の上には、対応するＳＦＮの番号が表示される。
【００６２】
ＳＦＮを示す直線の下側には、ＰＴＷ_startの位置を示すＰＴＷ開始表示１１４と、ＰＴＷ_endの位置を示すＰＴＷ終了表示１１５とが表示される。ＰＴＷ開始表示１１４及びＰＴＷ終了表示１１５の下には、対応するＳＦＮの番号が表示される。
【００６３】
開始Ｈ−ＳＦＮ表示部１１６は、ＳＦＮを示す直線の開始部分が含まれるＨ−ＳＦＮが表示される。終了Ｈ−ＳＦＮ表示部１１７は、ＳＦＮを示す直線の終了部分が含まれるＨ−ＳＦＮが表示される。
【００６４】
カレントＨ−ＳＦＮ表示部１０９は、現在のＨ−ＳＦＮの位置を表示するものであり、このＨ−ＳＦＮに最も近いPaging HyperframeのタイミングがPaging情報表示設定部１０２に表示され、Ｈ−ＳＦＮを示す直線で送信ＰＨ表示１１１となり、下段のＳＦＮを示す直線にその情報が表示される。カレントＨ−ＳＦＮ表示部１０９の値を変えることで、その値に対応した情報が表示される。なお、後述する試験実行時には、現在のＨ−ＳＦＮの位置が表示され、値を変更することはできない。
【００６５】
図３は、ＰＴＷが複数のＨ−ＳＦＮを跨いだ場合の表示例である。図３に示すように、ＳＦＮを示す直線のＨ−ＳＦＮの境界部分には、Ｈ−ＳＦＮ境界表示１１８が表示される。また、ＰＴＷ開始Ｈ−ＳＦＮ表示部１０５、ＰＴＷ終了Ｈ−ＳＦＮ表示部１０７、開始Ｈ−ＳＦＮ表示部１１６、終了Ｈ−ＳＦＮ表示部１１７には対応するＨ−ＳＦＮが表示される。
【００６６】
図４は、Paging FrameがＰＴＷ外になった場合の表示例である。図４に示すように、送信ＰＦ表示１１３の近傍に警告表示１１９が表示される。
【００６７】
このように、パラメータの設定でPaging FrameがＰＴＷ外になってしまった場合に、警告表示１１９が表示され、ユーザに気づかせることができる。
【００６８】
また、Ｈｙｐｅｒ  ＳＦＮ画面では、Paging情報表示設定部１０２にPaging HyperframeやPaging Frameを設定することで、Paging HyperframeやPaging Frameを変えることができるようになっている。制御部１４は、ユーザの操作部１１の操作によりPaging情報表示設定部１０２にPaging HyperframeやPaging Frameが設定されると、図５に示すように、Paging情報設定表示１０３の表示を変え、設定された値に基づいてPaging送信タイミング表示部１０８の表示を変える。図５は、図２で示した制御部１４によって算出された値と同じ値をユーザが設定した場合を示している。
【００６９】
Paging情報表示設定部１０２に値が設定された場合には、Paging Hyperframeに設定された値のＨ−ＳＦＮが送信ＰＨ表示１１１として表示され、そのＨ−ＳＦＮの情報がＳＦＮを示す直線に表示され、Paging Frameに設定されたＳＦＮが送信ＰＦ表示１１３として表示される。なお、Paging情報表示設定部１０２に値が設定された場合には、設定された値に従ってPaging送信メッセージが送信される。
【００７０】
図６は、制御部１４によって算出された値と異なるPaging HyperframeとPaging Frameをユーザが設定した場合を示している。図６に示すように、制御部１４は、設定されたPaging Hyperframeに送信ＰＨ表示１１１を表示させ、その情報を下段のＳＦＮを示す直線に表示させ、ＳＦＮを示す直線の設定されたPaging Frameに送信ＰＦ表示１１３を表示させ、設定された値がパラメータ設定部１０１に設定された値と整合がとれていないことを示す警告表示１１９を表示させる。なお、ＰＴＷは、Paging Hyperframeに設定されたＨ−ＳＦＮと異なるＨ−ＳＦＮに存在するため、ＰＴＷ開始表示１１４及びＰＴＷ終了表示１１５は表示されない。
【００７１】
図７は、制御部１４によって算出された値と異なるPaging Frameをユーザが設定した場合を示している。図７に示すように、制御部１４は、下段のＳＦＮを示す直線の設定されたPaging Frameに送信ＰＦ表示１１３を表示させ、設定された値がパラメータ設定部１０１に設定された値と整合がとれていないことを示す警告表示１１９を表示させる。
【００７２】
図８は、制御部１４によって算出された値と異なるPaging Frameをユーザが設定した場合で、設定された値がＰＴＷ外になってしまった場合を示している。図８に示すように、制御部１４は、下段のＳＦＮを示す直線の設定されたPaging Frameに送信ＰＦ表示１１３を表示させ、設定された値がパラメータ設定部１０１に設定された値と整合がとれていないことと、ＰＴＷ外であることを示す警告表示１１９を表示させる。
【００７３】
このように、Paging情報表示設定部１０２にPaging HyperframeやPaging Frameを設定することにより、Paging HyperframeやPaging Frameを変えることができ、Paging HyperframeやPaging Frameがパラメータ設定と異なる場合の試験を容易に行なうことができる。
【００７４】
また、設定された値がパラメータ設定部１０１に設定された値と整合がとれていない場合などに警告表示１１９を表示させているため、設定の誤りを気づかせることができる。
【００７５】
Ｈｙｐｅｒ  ＳＦＮ画面で設定され、設定内容を確認されたパラメータは、ユーザの操作部１１の操作により、シナリオの保存が選択されると、制御部１４が、設定された情報をシナリオ生成部１５に送信して擬似基地局のシナリオを生成させる。シナリオ生成部１５は、制御部１４から受信した情報に基づいて、報知情報やシーケンス情報などを生成し、擬似基地局のシナリオとして識別情報と関連付けて記憶部１６に記憶させる。
【００７６】
このようなシナリオの作成をした後、ユーザは、移動端末試験装置１と移動体通信端末２とを有線で接続し、使用する擬似基地局のシナリオを選択する。
【００７７】
制御部１４は、選択された擬似基地局のシナリオの識別情報をシナリオ処理部１７に通知し、シナリオ処理部１７にシナリオを実行させる。
【００７８】
シナリオ処理部１７は、通知された識別情報に関連付けられたシナリオを記憶部１６から読み出し、読み出したシナリオに基づいて擬似基地局部１８−１、１８−２、１８−３に報知情報の内容や位置登録処理における送信情報などを通知し、擬似基地局としての動作を開始させる。
【００７９】
また、シナリオ処理部１７は、シナリオの実行を開始すると、シナリオを実行している擬似基地局部１８−１、１８−２、１８−３の状態を制御部１４に通知するようになっている。
【００８０】
制御部１４は、シナリオ処理部１７から擬似基地局部１８−１、１８−２、１８−３の状態の情報を受信すると、表示制御部１３により表示部１２に擬似基地局部１８−１、１８−２、１８−３の状態や移動体通信端末２の接続状態などを表示させる。
【００８１】
使用する擬似基地局のシナリオを選択した後、ユーザは、移動体通信端末２の電源を入れるなどして位置登録を行なわせ、移動端末試験装置１側で位置登録が正常に行なわれたかを確認する。
【００８２】
その後、操作部１１の操作によりｅＤＲＸ状態の表示が選択された場合、制御部１４は、記憶部１６に記憶されている実行中のシナリオに設定されているパラメータやシナリオ生成部１５で算出された値に基づいて、表示部１２に図２に示すようなＨｙｐｅｒ  ＳＦＮ画面を表示させる。
【００８３】
制御部１４は、シナリオ処理部１７から現在のＨ−ＳＦＮの情報を取得し、カレントＨ−ＳＦＮ表示部１０９に現在のＨ−ＳＦＮの値を表示させ、現在のＨ−ＳＦＮから最も早く到来するPaging Hyperframeのタイミングを送信ＰＨ表示１１１とし、下段のＳＦＮを示す直線にその情報を表示させる。なお、現在のＨ−ＳＦＮが進んで、送信ＰＨ表示１１１のＨ−ＳＦＮを過ぎると、次のPaging Hyperframeのタイミングを送信ＰＨ表示１１１とし、その情報を下段に表示させる。
【００８４】
なお、ｅＤＲＸの状態を表示している状態で、Paging情報表示設定部１０２のPaging HyperframeやPaging Frameを書き換えることで、書き換えられたPaging HyperframeやPaging Frameに基づいてPaging送信メッセージの送信タイミングを変えるようにしてもよい。
【００８５】
また、本実施形態の移動端末試験装置１は、試験実行中にｅＤＲＸの制御を開始させることができるようになっている。制御部１４は、ユーザの操作部１１の操作によりｅＤＲＸの開始が選択されると、図９に示す処理を開始する。
【００８６】
ステップＳ１において、制御部１４は、図２に示すようなＨｙｐｅｒ  ＳＦＮ画面を表示部１２に表示させる。
【００８７】
ステップＳ２において、制御部１４は、Ｈｙｐｅｒ  ＳＦＮ画面上でパラメータ設定部１０１によりE-UTRAN eDRX Cycle Length Duration、Paging Time Window Length Duration、Default paging Cycle、ｎＢ、ＩＭＳＩ、Ｓ−ＴＭＳＩを設定させる。
【００８８】
ステップＳ３において、制御部１４は、設定された値に基づいてPaging Hyperframe、Paging Frame、ＰＴＷ_start、ＰＴＷ_endを計算する。
【００８９】
ステップＳ４において、制御部１４は、計算したPaging Hyperframe、Paging Frame、ＰＴＷ_start、ＰＴＷ_endをＨｙｐｅｒ  ＳＦＮ画面に表示させる。
【００９０】
ステップＳ５において、制御部１４は、ユーザの操作部１１の操作によりPaging情報表示設定部１０２にPaging HyperframeやPaging Frameが設定されたか否かを判定する。Paging HyperframeやPaging Frameが設定されていないと判定した場合、ステップＳ６において、制御部１４は、計算したPaging Hyperframe、Paging Frameを用いてPaging送信メッセージのシナリオをシナリオ生成部１５に作成させ、作成したシナリオでPaging送信メッセージを送信するようシナリオ処理部１７に指示する。
【００９１】
ステップＳ５において、Paging HyperframeやPaging Frameが設定されていると判定した場合、ステップＳ７において、制御部１４は、ユーザが画面上で設定したPaging Hyperframe、Paging Frameを用いてPaging送信メッセージのシナリオをシナリオ生成部１５に作成させ、作成したシナリオでPaging送信メッセージを送信するようシナリオ処理部１７に指示する。
【００９２】
ステップＳ８において、制御部１４は、シナリオ処理部１７から現在のＨ−ＳＦＮの情報であるＣｕｒｒｅｎｔ  Ｈ−ＳＦＮ情報を取得する。
【００９３】
ステップＳ９において、制御部１４は、Ｃｕｒｒｅｎｔ  Ｈ−ＳＦＮ情報をＨｙｐｅｒ  ＳＦＮ画面のカレントＨ−ＳＦＮ表示部１０９に表示して、処理を終了する。なお、ここで処理を終了せず、ｅＤＲＸによる試験が終了するまでステップＳ５に戻るようにしてもよい。
【００９４】
このように、上述の実施形態では、Ｈｙｐｅｒ  ＳＦＮ画面において、Ｈ−ＳＦＮを示す直線上にPaging Hyperframeのタイミングが表示され、Paging情報表示設定部１０２に表示または設定されたPaging HyperframeのＳＦＮの内容がＳＦＮを示す直線に表示され、ＳＦＮを示す直線の上側には、Paging Frameのタイミングが表示される。
【００９５】
これにより、Paging送信メッセージが送信されるＨ−ＳＦＮやＳＦＮを視覚的に認識させることができ、ｅＤＲＸによる試験を容易に行なわせることができる。
【００９６】
また、最も早く到来するPaging Hyperframeの情報をＳＦＮを表す数直線上に表示させ、ＳＦＮを表す数直線上にPaging Frameのタイミングや実際にPaging送信メッセージが送信されるＳＦＮを表示させる。
【００９７】
これにより、次にPaging送信メッセージが送信されるＨ−ＳＦＮやＳＦＮが分かり、ｅＤＲＸによる試験を容易に行なわせることができる。
【００９８】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００９９】
１  移動端末試験装置
２  移動体通信端末
１２  表示部
１３  表示制御部
１４  制御部
１５  シナリオ生成部
１７  シナリオ処理部
１０１  パラメータ設定部
１０２  Paging情報表示設定部
１０３  Paging情報設定表示
１０８  Paging送信タイミング表示部
１５０  送信情報生成部
【図１】
2018174379.tif 000003
【図２】
2018174379.tif 000004
【図３】
2018174379.tif 000005
【図４】
2018174379.tif 000006
【図５】
2018174379.tif 000007
【図６】
2018174379.tif 000008
【図７】
2018174379.tif 000009
【図８】
2018174379.tif 000010
【図９】
2018174379.tif 000011